(57)【要約】【課題】洗浄性に優れ、温度変化による粘度の変動が少なく、かつ泡立ち性の低い、特にリネン業、ダストコントロール業向けの洗浄システムで用いるのに好適な液体洗浄剤組成物を提供する。【解決手段】（Ａ）無機アルカリ剤、（Ｂ）オキシエチレン基及びオキシプロピレン基を含有する非イオン性界面活性剤、（Ｃ）特定のエチレンオキサイド／プロピレンオキサイド付加型化合物、並びに（Ｄ）水を、それぞれ特定比率で含有し、〔（Ｂ）のオキシプロピレン基の平均付加モル数の合計〕／〔（Ｂ）のオキシエチレン基の平均付加モル数の合計〕＝０．２〜０．５である液体洗浄剤組成物。【選択図】  なし【特許請求の範囲】
【請求項１】
（Ａ）無機アルカリ剤と、（Ｂ）オキシエチレン基及びオキシプロピレン基を含有する非イオン性界面活性剤と、（Ｃ）下記一般式（Ｉ）で表される化合物と、（Ｄ）水とを含有し、〔（Ｂ）のオキシプロピレン基の平均付加モル数の合計〕／〔（Ｂ）のオキシエチレン基の平均付加モル数の合計〕＝０．２〜０．５、（Ａ）／（Ｂ）＝０．５〜１．２（重量比）、（Ｃ）／（Ｂ）＝０．１〜０．４（重量比）であり、且つ（Ｄ）の含有量が５０重量％超である液体洗浄剤組成物。
【化１】
2004244591.tif 000006
（但し、式中、Ｒ１は水素原子、炭素数１〜８のアルキル基もしくはアルケニル基又はフェニル基、Ｒ２は水素原子又はメチル基、Ｒ３は水素原子又はメチル基を示し、Ｘは１以上、３以下の数を示す。）
【請求項２】
２０℃におけるｐＨが１２以上である請求項１記載の液体洗浄剤組成物。
【請求項３】
（Ａ）が、珪酸塩である請求項１又は２記載の液体洗浄剤組成物。
【請求項４】
（Ｂ）が、下記一般式（ＩＩ）で表される化合物及び一般式（ＩＩＩ）で表される化合物であり、（ＩＩＩ）／（ＩＩ）が重量比で０．２〜０．７である請求項１〜３の何れか１項記載の洗浄剤組成物。
Ｒ４−Ｏ−［（ＥＯ）ｏ／（ＰＯ）ｐ］−（ＥＯ）ｑ−Ｈ    （ＩＩ）
Ｒ５−Ｏ−（ＥＯ）ｍ−（ＰＯ）ｎ−Ｈ              （ＩＩＩ）
〔但し、式（ＩＩ）中のＲ４は平均炭素数１０〜１４のアルキル基又はアルケニル基を示し、ＥＯはオキシエチレン基、ＰＯはオキシプロピレン基を示し、［（ＥＯ）ｏ／（ＰＯ）ｐ］はランダム配列でもブロック配列でもよい。ｏ、ｐ、ｑはそれぞれ平均付加モル数を表し、ｏ＞１、ｑ＞１、０＜ｐ≦２であり、ｏ＋ｑ＝５．５〜１０である。また、式（ＩＩＩ）中のＲ５は平均炭素数８〜１８の２級のアルキル基もしくはアルケニル基を示し、ＥＯはオキシエチレン基、ＰＯはオキシプロピレン基を示す。ｍ、ｎはそれぞれ平均付加モル数を表し、ｍ＝４〜１０、ｎ＝２〜１０であり、０．３≦（ｎ／ｍ）≦１．５である。〕
【請求項５】
（Ａ）を５〜２３重量％、（Ｂ）を１０〜２０重量％、（Ｃ）を１．２〜６重量％含有する請求項１〜４の何れか１項記載の液体洗浄剤組成物。
【請求項６】
請求項１〜５の何れか１項記載の液体洗浄剤組成物を、０〜４０℃の液温で繊維製品と接触させる繊維製品の洗浄方法。
【請求項７】
（Ａ）を含む第１の組成物と、（Ｂ）と（Ｃ）と（Ｄ）の一部とを含む第２の組成物と、（Ｄ）の残部との混合により、繊維製品との接触前に前記液体洗浄剤組成物が調製される請求項６記載の洗浄方法。
【発明の詳細な説明】
【０００１】
【発明の属する技術分野】
本発明は液体洗浄剤組成物、特にリネン業、ダストコントロール業向けの洗浄システムで用いるのに好適な液体洗浄剤組成物に関わる。
【０００２】
【従来の技術及び発明が解決しようとする課題】
リネン業及びダストコントロール業は、シーツ、タオル等或いはモップ、マット等を顧客に貸し出し、使用済みのこれら被洗物を回収し、洗濯した後に再び新品として貸し出しを行う業態である。これらの業者は主に横軸回転式のバッチ式洗濯機又は連続式洗濯機を使用して洗濯を行っている。その際、洗濯に使用する処理液は、アルカリ成分を主体とする剤及び界面活性剤成分を主体とする剤とを別々に用意し、両者を専用の溶解槽にて混合溶解して調製され、該混合液は、供給装置にて工場内を循環する如く配管された管内を輸送され、洗濯のタイミングに合わせて洗濯機に投入される。
【０００３】
このような供給システムに用いられる処理液は、洗浄性に優れることに加え、温度変化による粘度の変動が少ないこと、特に低温時に増粘しないこと、更に、泡立ち性が低いことが要求される。
【０００４】
非イオン性界面活性剤と無機アルカリ剤を併用した系として、例えば、特許文献１では、可溶化剤として特定の脂肪酸を使用することで、安定な非イオン性界面活性剤の強アルカリ水溶液を得ることを提案している。しかし、ここで用いられる特定脂肪酸では、処理液の温度変化に対する粘度の変化を十分に抑制することはできず、前記供給システムにおいては、依然、所定時間に必要量の投入が行えないという問題が生じる。
【０００５】
また、家庭用の液体洗剤に関して、特許文献２には、特定のオキシアルキレン付加型の化合物と比較的低分子量のポリエチレングリコールを併用することが、また、特許文献３には、非イオン性界面活性剤と特定のオキシアルキレン付加型の化合物とを含有する組成物を塗布用の洗剤として用いることが開示されている。しかし、家庭用洗剤は一般に弱アルカリ性であり、無機アルカリ剤を用いた高濃度の処方では、非イオン性界面活性剤が分離、ゲル化し、実使用に耐えないものとなってしまう。このため、前記供給システムに用いるには問題がある。
【０００６】
従って、本発明は、洗浄性に優れ、温度変化による粘度の変動が少なく、かつ泡立ち性の低い、特にリネン業、ダストコントロール業向けの洗浄システムで用いるのに好適な液体洗浄剤組成物を得ることを目的とする。
【０００７】
【特許文献１】
特開昭６４−４２２６号公報
【０００８】
【特許文献２】
特開平８−２８３７８４号
【０００９】
【特許文献３】
特開平１１−２６９５００号公報
【００１０】
【課題を解決するための手段】
本発明は、（Ａ）無機アルカリ剤〔以下、（Ａ）成分という〕と、（Ｂ）オキシエチレン基及びオキシプロピレン基を含有する非イオン性界面活性剤〔以下、（Ｂ）成分という〕と、（Ｃ）下記一般式（Ｉ）で表される化合物〔以下、（Ｃ）成分という〕と、（Ｄ）水〔以下、（Ｄ）成分という〕とを含有し、〔（Ｂ）のオキシプロピレン基の平均付加モル数の合計〕／〔（Ｂ）のオキシエチレン基の平均付加モル数の合計〕＝０．２〜０．５、（Ａ）／（Ｂ）＝０．５〜１．２（重量比）、（Ｃ）／（Ｂ）＝０．１〜０．４（重量比）であり、且つ（Ｄ）の含有量が５０重量％超である液体洗浄剤組成物に関する。
【００１１】
【化２】
2004244591.tif 000002
【００１２】
（但し、式中、Ｒ１は水素原子、炭素数１〜８のアルキル基もしくはアルケニル基又はフェニル基、Ｒ２は水素原子又はメチル基、Ｒ３は水素原子又はメチル基を示し、Ｘは１以上、３以下の数を示す。）。
【００１３】
また、本発明は、上記本発明の液体洗浄剤組成物を、０〜４０℃の液温で繊維製品と接触させる繊維製品の洗浄方法に関する。
【００１４】
【発明の実施の形態】
＜（Ａ）成分＞
（Ａ）成分としては、珪酸塩が好ましく、特に、オルソ珪酸ナトリウム（２Ｎａ２Ｏ・ＳｉＯ２）、メタ珪酸ナトリウム（Ｎａ２Ｏ・ＳｉＯ２）、１号珪酸ナトリウム（Ｎａ２Ｏ・２ＳｉＯ２）及び２号珪酸ナトリウム（２Ｎａ２Ｏ・５ＳｉＯ２）から選ばれる一種以上の珪酸ナトリウムが好ましい。これらは、水和物であってもよく、また水溶液として用いることもできる。
【００１５】
＜（Ｂ）成分＞
（Ｂ）成分は、アルコール、カルボン酸、アミン等、活性水素を有する化合物に、エチレンオキサイド（以下、ＥＯと表記する）とプロピレンオキサイド（以下、ＰＯと表記する）とを特定モル比で付加した非イオン性界面活性剤である。例えば、合成アルコール又は天然油脂から誘導されたアルコールに、ＥＯ及びＰＯをランダム付加或いはブロック付加することで得られる。
【００１６】
（Ｂ）成分において、オキシエチレン基とオキシプロピレン基の比率は、オキシプロピレン基の平均付加モル数の合計／オキシエチレン基の平均付加モル数の合計（以下、ＰＯ／ＥＯ比ということもある）＝０．２〜０．５、好ましくは０．２５〜０．５である。この範囲において、該（Ｂ）成分を含有する水溶液の粘度が適度となり、ゲル化も防止され、また、泡立ち性も適正となる。また、生分解性や洗浄性も良好となる。特に、このＰＯ／ＥＯ比は、（Ｂ）成分を２種類以上併用するときに好ましい。ここで、（Ｂ）成分を２種類以上併用する場合のＰＯ／ＥＯ比は、各（Ｂ）成分のＰＯ／ＥＯ比に当該（Ｂ）成分の重量分率を乗じたものの総和〔Σ｛ＰＯ／ＥＯ｝×重量分率〕である。
【００１７】
また、（Ｂ）成分のＨＬＢ（グリフィン法による）は、５〜１４が好ましく、特に６〜１２が好ましい。
【００１８】
（Ｂ）成分としては、下記一般式（ＩＩ）で表される化合物及び一般式（ＩＩＩ）で表される化合物から選ばれる化合物が好ましく、特に好ましくは、この両者を（ＩＩＩ）／（ＩＩ）＝０．２〜０．７の重量比で併用することである。
【００１９】
Ｒ４−Ｏ−［（ＥＯ）ｏ／（ＰＯ）ｐ］−（ＥＯ）ｑ−Ｈ    （ＩＩ）
Ｒ５−Ｏ−（ＥＯ）ｍ−（ＰＯ）ｎ−Ｈ              （ＩＩＩ）
〔但し、式（ＩＩ）中のＲ４は平均炭素数１０〜１４のアルキル基又はアルケニル基を示し、ＥＯはオキシエチレン基、ＰＯはオキシプロピレン基を示し、［（ＥＯ）ｏ／（ＰＯ）ｐ］はランダム配列でもブロック配列でもよい。ｏ、ｐ、ｑはそれぞれ平均付加モル数を表し、ｏ＞１、ｑ＞１、０＜ｐ≦２であり、ｏ＋ｑ＝５．５〜１０である。また、式（ＩＩＩ）中のＲ５は平均炭素数８〜１８の２級のアルキル基もしくはアルケニル基を示し、ＥＯはオキシエチレン基、ＰＯはオキシプロピレン基を示す。ｍ、ｎはそれぞれ平均付加モル数を表し、ｍ＝４〜１０、ｎ＝２〜１０であり、０．３≦（ｎ／ｍ）≦１．５である。〕。
【００２０】
上記一般式（ＩＩ）の非イオン性界面活性剤は周知の方法で合成される。すなわち、天然油脂から誘導されたＲ４のアルキル基又はアルケニル基を有するアルコールにＥＯ、ＰＯの順に付加反応した後、又はＥＯとＰＯとを混合付加（ランダム付加）した後、再度ＥＯを付加することで合成できる。また、一般式（ＩＩＩ）の非イオン性界面活性剤も同じく、Ｒ５のアルキル基又はアルケニル基を有する２級アルコールにＥＯを付加した後、ＰＯを付加することで合成できる。
【００２１】
＜（Ｃ）成分＞
（Ｃ）成分は、一般式（Ｉ）中のＲ１は水素原子、炭素数１〜３のアルキル基、フェニル基が好ましい。Ｘは２又は３が好ましい。
【００２２】
（Ｃ）成分は、例えばＲ１がアルキル基もしくはアルケニル基又はフェニル基の場合、オートクレーブに原料アルコール又はフェノールを仕込み、窒素置換後、昇温し、ＥＯ又はＰＯを所定圧力で所定量導入し、圧力が一定になるまで反応させることで製造できる。また、Ｒ１が水素原子の場合、オートクレーブに水を仕込み、同様の方法で製造できる。
【００２３】
＜液体洗浄剤組成物＞
本発明の液体洗浄剤組成物は、（Ａ）成分と（Ｂ）成分の重量比が、（Ａ）／（Ｂ）＝０．５〜１．２、好ましくは０．６〜１．０である。また、（Ｂ）成分と（Ｃ）成分の重量比が（Ｃ）／（Ｂ）＝０．１〜０．４、好ましくは０．１５〜０．３５である。また、（Ｄ）成分の含有量は５０重量％超、好ましくは５５〜９０重量％、更に好ましくは５５〜８０重量％である。
【００２４】
この比率を満たした上で、本発明の液体洗浄剤組成物は、（Ａ）成分を５〜２３重量％、更に１０〜２２重量％、（Ｂ）成分を１０〜２０重量％、更に１２〜１９重量％、（Ｃ）成分を１．２〜６重量％、更に２〜５重量％含有することが好ましい。
【００２５】
本発明の液体洗浄剤組成物は、２０℃におけるｐＨが１２以上であることが好ましい。
【００２６】
また、本発明の液体洗浄剤組成物は、２５℃における粘度が１０〜１００ｍＰａ・ｓ、更に２０〜８０ｍＰａ・ｓであることが好ましい。更に、５℃における粘度が５０〜６００ｍＰａ・ｓ、更に５０〜３００ｍＰａ・ｓであることが好ましい。粘度は、（Ｃ）成分の種類や配合量などにより調整できる。ここで、本発明の粘度は、ＴＯＫＩＭＥＣ  ＩＮＣ社製のＢ型粘度計にて、ローターＮｏ．２、回転速度６０ｒ／ｍｉｎの条件で測定したものである。本発明の液体洗浄剤組成物は、温度変化による粘度の変動が少ないので、リネンサプライ業等で使用される、洗浄剤組成物（処理液）を洗濯のタイミングに合わせて洗濯機内に投入するシステムにおいて、正常に洗剤の供給を行うことができる。一般に、このようなシステムでは、洗浄剤組成物の粘度が６００ｍＰａ・ｓ以上になると異常が感知されるように設計されていることが多いため、本発明の組成物も、特に５℃における粘度が６００ｍＰａ・ｓ未満となることが好ましい。
【００２７】
本発明の洗浄剤組成物は、０〜４０℃の液温で洗濯機（洗濯槽）に供給されることが好ましく、該液体洗浄剤組成物を含む洗浄媒体は６０〜７０℃で用いられることが好ましい。例えば、各成分を混合して調製された混合液を０〜４０℃の液温で、繊維製品を入れた洗濯機（洗濯槽）に水と共に投入した後、６０〜７０℃に昇温して繊維製品を洗浄することができる。
【００２８】
本発明の液体洗浄剤組成物は、（Ａ）〜（Ｄ）成分を一括混合したものでもよいが、上記システムに用いるには、（Ａ）成分を含有する第１の組成物、（Ｂ）成分と（Ｃ）成分と（Ｄ）成分の一部とを含有する第２の組成物を用意し、繊維製品との接触前に、これら第１、２の組成物と（Ｄ）成分の残部とを混合することが好ましい。
【００２９】
本発明の液体洗浄剤組成物には、公知の洗剤成分を用いても良く、例えばオレイン酸カリウム、直鎖アルキルベンゼンスルフォン酸ナトリウムなどの陰イオン性界面活性剤、クエン酸ナトリウムなどの金属封鎖能を有する多価カルボン酸、ポリアクリル酸カリウムなどの高分子分散剤、蛍光染料、防腐剤等を挙げることができる。
【００３０】
【発明の効果】
本発明の液体洗浄剤組成物は、リネン業者やダストコントロール業者の洗濯工場で洗剤混合液を供給装置にて洗濯機に供給し、洗浄のタイミングに合わせて洗濯機内に混合液が自動投入される供給システムに適合し、温度変化による粘度変化が少ないため、環境温度が変化しても安定供給することができる。また、洗浄性が良好で、且つ、泡立ち性が低く、生分解性も良好である。
【００３１】
【実施例】
実施例１〜７及び比較例１〜９
表１、２に示す組成の液体洗浄剤組成物を、一括混合により調製し、以下の方法で粘度及び洗浄率を測定した。結果を表１、２に示す。
【００３２】
＜粘度＞
ＴＯＫＩＭＥＣ  ＩＮＣ社製Ｂ型粘度計にて、ローターＮｏ．２、回転速度６０ｒ／ｍｉｎの条件で測定した。
【００３３】
＜洗浄率＞
８ｃｍ×８ｃｍのポリエステル布にオレンジＯＴで着色したスピンドル油０．５ｇを塗布した汚染布を、ターゴトメーター（１００ｒ／ｍｉｎ、６０℃、１０分）を用い、液体洗浄剤組成物の０．０５重量％水溶液で洗浄を行った。洗浄前の汚染布の反射率（ＲＢ）、未染着の布（原布）の反射率（ＲＯ）及び洗浄後の汚染布の反射率（ＲＡ）を、それぞれ反射率測定器（日本電色株式会社、３００Ａ型）で波長４６０ｎｍで測定し、得られた各反射率より、洗浄率（％）を、洗浄率（％）＝〔（ＲＡ−ＲＢ）／（ＲＯ−ＲＢ）〕×１００で求めた。
【００３４】
【表１】
2004244591.tif 000003
【００３５】
【表２】
2004244591.tif 000004
【００３６】
＊比較例７は、上記評価における洗浄率は比較的良いが、（Ｃ）成分の比率が多いため、ダストコントロール用のゴム製玄関マットの洗濯において、ゴムマットに波打ちを生じさせ、実使用に耐えないものとなる。
【００３７】
（注）表１、２中の（Ｂ）成分は以下のものである。また、「（Ｂ）のＰＯ／ＥＯ（モル比）」は、用いた（Ｂ）成分全体の〔（Ｂ）のオキシプロピレン基の平均付加モル数の合計〕／〔（Ｂ）のオキシエチレン基の平均付加モル数の合計〕のモル比である。
・非イオン性界面活性剤（１）：炭素数１０〜１４のアルコールにＥＯ、３モル（平均値、以下同様）を付加した後、ＰＯ１．５モルを付加し、更にＥＯ３モルを付加した化合物。
・非イオン性界面活性剤（２）：炭素数１０〜１６のアルコールにＥＯ５モルを付加した後、ＰＯ２モルを付加し、更にＥＯ３モルを付加した化合物。
・非イオン性界面活性剤（３）：炭素数１０〜１４の１級アルコールにＥＯ８モルとＰＯ２モルを混合付加（ランダム付加）した後、更にＥＯ２モルを付加した化合物。
・非イオン性界面活性剤（４）：炭素数１０〜１６のアルコールにＥＯ８モルとＰＯ５モルを混合付加（ランダム付加）した化合物。
・非イオン性界面活性剤（５）：炭素数１０〜１６の２級アルコールにＥＯ７モルを付加した後、ＰＯ８モルを付加した化合物。
・非イオン性界面活性剤（６）：炭素数１０〜１６の２級アルコールにＥＯ７モルを付加した後、ＰＯ４．５モルを付加した化合物。
・非イオン性界面活性剤（７）：炭素数１０〜１４のアルコールにＥＯ７モルを付加した後、ＰＯ２モルを付加し、更にＥＯ７モルを付加した化合物。
【００３８】
実施例８〜１０及び比較例１０
表３に示す組成の液体洗浄剤組成物を、一括混合により調製し、以下の方法で泡立ち性を測定した。結果を表３に示す。なお、（Ｂ）成分は表１のものと同じである。
【００３９】
＜泡立ち性＞
目盛り及び栓付１００ｍＬシリンダーに、液体洗浄剤組成物の０．１重量％水溶液５０ｍＬを入れ、振とう機にて振幅４ｍｍ、振とう速度３００回／ｍｉｎで５分間振とうし、停止直後及び５分後の泡容量（ｍＬ）を測定とした。
【００４０】
【表３】
2004244591.tif 000005